(57)【要約】【課題】シリンダー錠を簡単に交換（或いは脱着）することができること。【解決手段】キースイッチ２Ａを有するスイッチ取付け板１Ａと、このスイッチ取付け板１Ａの前壁１ａに固定的に取り付けられたシリンダー錠用嵌合支持部材４０と、この嵌合支持部材に嵌挿した状態で周方向に所定量回転させると、外筒体１５Ａの後端部に形成した係合突起４３が嵌合支持部材の被係合部４２のストッパー部分４４に係止されるシリンダー錠１０Ａと、係止状態のシリンダー錠１０Ａの回転を阻止することができるように前記スイッチ取付け板１Ａに進退動自在に設けられたシリンダー錠用係止操作杆３２とから成るキースイッチ装置に於けるシリンダー錠の取付け構造。【選択図】　図１
2004071205.tif 000002
【特許請求の範囲】
【請求項１】
キースイッチ２Ａを有するスイッチ取付け板１Ａと、このスイッチ取付け板１Ａの前壁１ａに固定的に取り付けられたシリンダー錠用嵌合支持部材４０と、この嵌合支持部材に嵌挿した状態で周方向に所定量回転させると、外筒体１５Ａの後端部に形成した係合突起４３が嵌合支持部材の被係合部４２のストッパー部分４４に係止されるシリンダー錠１０Ａと、係止状態のシリンダー錠１０Ａの回転を阻止することができるように前記スイッチ取付け板１Ａに進退動自在に設けられたシリンダー錠用係止操作杆３２とから成るキースイッチ装置に於けるシリンダー錠の取付け構造。
【請求項２】
請求項１に於いて、係止操作杆３２は、スイッチ取付け板１Ａに水平状態に設けられた棒状体であり、少なくとも枠状スイッチ取付け板１Ａのメネジ３１に螺合する後端部側のオネジ３３と、スイッチ取付け板１Ａの前壁１ａから突出する前進時に嵌合支持部材４０の嵌合孔４１に連通する半径方向の係合孔４２に入り込み、かつ、シリンダー錠１０Ａの係合突起４３と係合状態となる先端部側の係止部３６とを有していることを特徴とするキースイッチ装置に於けるシリンダー錠の取付け構造。
【請求項３】
請求項１に於いて、嵌合支持部材４０は、固着具８Ａを介してスイッチ取付け板１Ａの前壁１ａに固定される取付け基板１２Ａと、この取付け基板の前面から突出する円弧状支持部４６と、この支持部に設けられ、かつ、シリンダー錠１０Ａの係合突起４３が通ることができる案内隙間４７と、前記支持部４６の内部空間４７と連通するように前記取付け基板１２Ａに形成された嵌合孔４１とを有していることを特徴とするキースイッチ装置に於けるシリンダー錠の取付け構造。
【請求項４】
請求項３に於いて、円弧状支持部４６の外周壁に調整ナット１８Ａが螺合するオネジ部１６Ａが形成されていることを特徴とするキースイッチ装置に於けるシリンダー錠の取付け構造。
【発明の詳細な説明】
【０００１】
【発明の属する技術分野】
本発明は、所定のキーを持っている人のみが、電気的機能のＯＮ／ＯＦＦをできるキースイッチ装置に於けるシリンダー錠の取付け構造に関する。
【０００２】
【従来の技術】
本発明のキースイッチ装置は、マンションの共用玄関の自動ドア、エレベータの昇降動を管理する共用電子機器の管理ドア、警報装置の開閉扉などに取り付けられる。この種のキースイッチ装置には、普通一般の鍵（板鍵）の操作によって作動するシリンダー錠がキースイッチを備えた枠状のスイッチ取付け板に固定的に装着されている。
【０００３】
図８及び図９は、本発明と対比するためのキースイッチ装置Ｘの従来例を示す。１は枠状或いはボックス状のスイッチ取付け板で、このスイッチ取付け板１の内部には、単数又は複数本の支持棒を介してキースイッチ（マイクロスイッチ）２が設けられている。キースイッチ２は、アクチュエータや複数本のリード線３を有する。４はスイッチ取付け板１の前壁１ａの嵌合孔に回動可能に設けられキースイッチＯＮ，ＯＦＦ用の円板状従動部材である（図９参照）。従動部材４は、中央部に凹所５を有すると共に、この凹所５を基準としてその前面側に「＋状」の係合溝６が形成されている。従動部材４の内端部には図示しないアクチュエータ（可動片）用の作動板がバネ部材のバネ力に抗して協働回転できるように一体的に設けられている。
【０００４】
したがって、従動部材４が回転すると、作動板が協働回転し、その結果、アクチュエータを介してキースイッチ（マイクロスイッチ）２がＯＮ，ＯＦＦする。７は前記スイッチ取付け板１の前壁１ａの四隅にそれぞれ形成された固着具８用のメネジ部である。
【０００５】
一方、１０はスイッチ取付け板１の前壁１ａに前記固着具８を介して取り外し可能に装着されるシリンダー錠である。このシリンダー錠１０は、ピンタンブラー等を内蔵するシリンダー錠本体１１と、このシリンダー錠本体１１の後端部に一体的に設けられた矩形状の取付け基板１２とから成る。
【０００６】
シリンダー錠本体１１は、板鍵Ｋを差し込むことができる鍵孔１３を有するロータ１４を軸方向の中央部に備えている。このロータ１４の後端部には従動部材４と係合する図示しない係合体が固定されている。またシリンダー錠本体１１は、一番外側に位置する外筒体１５を備え、該外筒体１５の外周壁にはオネジ部１６が形成されている。一方、取付け基板１２の四隅にはメネジ部７にそれぞれ対応する固着具８用貫通小孔１７が形成されている。
【０００７】
次に１８はシリンダー錠本体１１のオネジ部１６と螺合する調整ナット（六角ナット）、１９はパッキンの機能を有するリング、２０は内周縁部の適宜部位に半径方向の係合突起２１を有する嵌合リンク、２２はシリンダー錠本体１１のオネジ部１６の前端部に螺着するリング状化粧体、そして、２３はシリンダー錠本体１１が入り込む円形状の切込み孔２４を有する取付け対象板（扉、パネルなど）で、前記切込み孔２４の適宜部位には前記係合突起２１が入り込む小被係合部２５が半径方向に形成されている。
【０００８】
上記構成に於いて、シリンダー錠１０を交換する場合には、シリンダー錠本体１１そのものを取り外すことができない。その理由は、シリンダー錠本体１１と取付け基板１２とは一体に成形されているからである。また、シリンダー錠１０はスイッチ取付け板１の前壁１ａに複数本の固着具８を介して固定され、しかも、キースイッチ装置Ｘは、次に説明するように取付け対象板２３に複数の取付け手順を経た後に固定的に取り付けられているからである。
【０００９】
まず、化粧体２２をシリンダー錠本体１１から外しておいて、パネル状の取付け対象板２３の厚みに応じてシリンダー錠本体１１に螺合している調整ナット１８を回す。次にリング１９及び嵌合リング２０をシリンダー錠本体１１のねじもと（取付け基板）方向へ移動させる。次に取付け対象板２３の内側よりシリンダー錠本体１１の先端部を切込み孔２４に挿入し、外側より化粧体２２を前記先端部に螺合するようにねじ込む。この時嵌合リング２０の係合突起２１を取付け対象板２３の小被係合部２５に係合させる。しかる後に内側より前記調整ナット１８を締め付け、キースイッチ装置Ｘを取付け対象板２３に確実に固定する。
【００１０】
なお、キースイッチ装置Ｘの従来例としては、シリンダー錠の外筒体の外周壁にオネジを形成し、一方、スイッチ本体の取付け前面板にリング状のメネジ部形成し、シリンダー錠を前記取付け前面板に螺着した後に、スイッチ本体の垂直板に螺合する操作螺杆を操作し、スイッチ本体側の支持部材に揺動可能に設けた係合爪体の爪部を前記外筒体に形成した切欠状の係合部に係止させる構造のものがある。
【００１１】
しかし、この実施例の場合には、シリンダー錠に切欠状係合部を形成しなければならないと共に、シリンダー錠の固定構造が複雑であるという問題点を有している。
【００１２】
【発明が解決しようとする課題】
従来のキースイッチ装置Ｘは、前述したように、シリンダー錠１０のシリンダー錠本体１１と取付け基板１２は一体に成形されている、化粧体がシリンダー錠本体に螺合されている、シリンダー錠本体１１を取付け対象板２３から抜き取る必要がある等の理由から、シリンダー錠１０そのものを交換する場合には、化粧体２２をシリンダー錠本体１１から取り外し、次に調整ナット１８を緩めるなどし、次いでシリンダー錠本体１１を取付け対象板２３から引抜き、次いで複数本の固着具８を緩めるなどしなければ、シリンダー錠１０をスイッチ取付け板１の前壁１ａから外すことができなかった。
【００１３】
そこで、本発明の目的は、スイッチ取付け板（スイッチ本体）を扉等から取り外さなくても、シリンダー錠をスイッチ取付け板から簡単に取り外し、又はシリンダー錠をスイッチ取付け板に固定的に装着することができることである。
すなわち、取付け対象板の内側から係止操作杆を操作するだけで、シリンダー錠をスイッチ取付け板の前壁から簡単に取り外しことができ、一方、シリンダー錠の後端部を、嵌合支持部材を介してスイッチ取付け板の前壁に添設した状態で係止操作杆を操作すると、直ちにスイッチ取付け板に対してシリンダー錠を固定的に装着することができることである。
【００１４】
【課題を解決するための手段】
本発明のキースイッチ装置に於けるシリンダー錠の取付け構造は、キースイッチ２Ａを有するスイッチ取付け板１Ａと、このスイッチ取付け板１Ａの前壁１ａに固定的に取り付けられたシリンダー錠用嵌合支持部材４０と、この嵌合支持部材に嵌挿した状態で周方向に所定量回転させると、外筒体の後端部に形成した係合突起４３が嵌合支持部材の被係合部４２のストッパー部分４４に係止されるシリンダー錠１０Ａと、係止状態のシリンダー錠１０Ａの回転を阻止することができるように前記スイッチ取付け板１Ａに進退動自在に設けられたシリンダー錠用係止操作杆３２とから成る。
【００１５】
上記構成に於いて、係止操作杆３２は、スイッチ取付け板１Ａに水平状態に設けられた棒状体であり、少なくとも枠状スイッチ取付け板１Ａのメネジ３１に螺合する後端部側のオネジ３３と、前進時に嵌合支持部材４０の嵌合孔４１に連通する半径方向の係合孔４２に入り込み、かつ、シリンダー錠１０Ａの係合突起４３と係合状態となる先端部側の係止部３６とを有していることを特徴とする。また嵌合支持部材４０は、固着具８Ａを介してスイッチ取付け板１Ａの前壁１ａに固定される取付け基板１２Ａと、この取付け基板の前面から突出する円弧状支持部４６と、この支持部に設けられ、かつ、シリンダー錠１０Ａの係合突起４３が通ることができる案内隙間４７と、前記支持部４６の内部空間４７と連通するように前記取付け基板１２Ａに形成された嵌合孔４１とを有していることを特徴とする。
【００１６】
ここで「キースイッチ」とは、所定の鍵をシリンダー錠の鍵孔に差込み、ロータを回転させると、シリンダー錠の後方に固定的に配設されたスイッチ取付け板１ＡのスイッチがＯＮ／ＯＦＦとなり、これにより信号を出力することができるものを言う。
【００１７】
【発明の実施の形態】
図１乃至７図は、本発明の一実施例を示す各説明図である。なお、本発明の一実施例の説明にあたって、説明の便宜上、前述した従来例と同一又は同様の部分については、同一の用語や同様の符合を用い、重複的な説明は割愛する。
Ｘ１はキースイッチ２Ａを有するスイッチ取付け板（スイッチ本体）１Ａと、このスイッチ取付け板１Ａの前壁に固定的に添設されるシリンダー錠１０Ａとから成るキースイッチ装置である。
【００１８】
スイッチ取付け板１Ａは金属板や合成樹脂材でボックス状に形成され、その底壁はリード線３Ａ用に開口している。ここでスイッチ取付け板１Ａの各壁に符号を付すと、１ａは前壁、１ｂは前壁と対向する後壁、１ｃ，１ｃは左右の側壁、１ｄは上壁である。
【００１９】
しかして、前記前壁１ａの中央部には従動部材４Ａが設けられている。従動部材４Ａは従来例と同一であり、凹所５Ａや係合溝６Ａを有している。また従動部材４Ａが回転すると、前記キースイッチ２Ａは作動板やアクチュエータを介してＯＮ・ＯＦＦする点も従来例と同一である。さらに、スイッチ取付け板１Ａの前壁１ａの四隅にメネジ部７Ａが形成されている点も従来例と同一である。
【００２０】
しかしながら、スイッチ取付け板１Ａの前壁１ａの上端部に貫通孔３０が形成されている点、この貫通孔３０と水平線状で対向する前記後壁１ｂの上端部に短筒状のメネジ３１が形成されている点が従来例のそれと異なる。前記貫通孔３０及びメネジ３１は、前壁１ａの上端部に形成されているものの、後述するシリンダー錠用嵌合支持部材４０の前壁１ａに対する固定位置を考慮し、中心部から多少オフセットした部位（例えば右寄りの部位）にそれぞれ形成されている。
【００２１】
次に貫通孔３０及びメネジ３１に進退動自在に螺合するシリンダー錠用係止操作杆３２について説明する。特に図３及び図４を参照に説明すると、３３は棒状の後端部側に形成され、かつ、スイッチ取付け板１Ａのメネジ３１に螺合するオネジで、このオネジ３３の端部にはドライバー用のプラス溝３４が形成されている。３５は棒状の中央部に周設されたフランジ部で、このフランジ部３５は係止操作杆３２が回りながら後退すると、後壁１ｂの短筒状メネジ３１の内端面に当接する。この時、棒状のやや先細り状係止部３６は前壁１ａの貫通孔３０内まで後退する。３７は先細り状係止部３６とフランジ部３５との間に位置する無ネジ部である。
【００２２】
次にシリンダー錠用嵌合支持部材４０について説明する。この嵌合支持部材４０は、複数個の固着具８Ａを介してボックス状スイッチ取付け板１Ａの前壁１ａに固定される。この嵌合支持部材４０は、従来例のシリンダー錠１０の取付け基板１２並びにシリンダー錠本体１１の外筒体１５の一部に相当する機能を有している。
【００２３】
すなわち、１２Ａは前記固着具８Ａを介してスイッチ取付け板１Ａの前壁１ａに固定される取付け基板で、この取付け基板１２Ａの一部切欠状の四隅には、固着具８Ａ用貫通小孔１７Ａが形成されている。この取付け基板１２Ａは従来例のそれと相違し、やや厚みがあり、しかも、中央部にはシリンダー錠１０Ａの後端部が嵌合する貫通状態の嵌合孔４１が形成されている。この嵌合孔４１の内径は、シリンダー錠１０Ａの無ネジ部外筒体１５Ａの外径寸法を考慮してスライド嵌合するように設定されている。
【００２４】
また取付け基板１２Ａは嵌合孔４１に対して半径方向にやや幅広に連通する被係合部としての係合孔４２を有している。この係合孔４２は、本実施例ではシリンダー錠１０Ａの外筒体１５Ａの後端部に突設した円弧状係合突起４３，４３が対称的な突起物であることから、これらに対応して左右或いは上下対称に形成されている。図５及び図６で示すように、対象的な２個の係合孔４２，４２の内部には、シリンダー錠１０Ａを周方向に多少回転した時に前記係合突起４３，４３の内面４３ａ，４３ａがそれぞれ係合するストッパー面４４，４４が設けられている。
【００２５】
また４６は取付け基板１２Ａの前面から対向状態に突出する２枚の分離的円弧状支持部で、これらの円弧状支持部４６，４６には、前述したシリンダー錠１０Ａの係合突起４３，４３が摺り抜ける左右或いは上下一対の案内間隙４７，４７を設けてある。また円弧状支持部４６，４６は取付け基板１２Ａの前面に一体成形されている。また２枚の円弧状支持部４６，４６の外周壁には、調整リング１８Ａが螺合するオネジ部１６Ａがそれぞれ形成されている。
【００２６】
しかして、円弧状支持部４６，４６で囲まれた内部空間４８は、シリンダー錠１０Ａが嵌挿される部分であることから、内部空間４８と取付け基板１２Ａの嵌合孔４１とは互いに連通している。なお、本実施例の内部空間４８の入口部分は、シリンダー錠１０Ａの外筒体１５Ａの先端部に固定された化粧体２２Ａの内周突壁５０が入り込むことができるようにやや大きめに設定されている。
【００２７】
最後にシリンダー錠１０Ａは、非常にシンプルな形態であり、前述した無ネジ部外筒体１５Ａと、この外筒体１５Ａの内部に内筒部材を介して設けられた鍵孔１３Ａを有するロータ１４Ａと、このロータ１４Ａの後端面に固定的に設けられ、かつ、スイッチ取付け板１Ａ側の従動体４Ａの係合溝６Ａと係合する係合片５１とから成り、前記外筒体１５Ａの後端部には、前述した係合突起４３，４３が設けられている。
【００２８】
上記構成に於いて、キースイッチ装置Ｘ１は、従来例のようにマンションの共用玄関の自動ドア、エレベータの昇降動を管理する共用電子機器の管理ドア、警報装置の開閉扉など取付け対象板２３に調整リング１８Ａなどを介して固定的に取り付けられている（図３参照）。この場合スイッチ取付け板１Ａの前壁１ａには複数個の固着具８Ａを介してシリンダー錠用嵌合支持部材４０が固着されている。またシリンダー錠１０Ａは、嵌合支持部材４０に挿嵌され、かつ、該シリンダー錠１０Ａの係合突起４３，４３が嵌合支持部材４０の係合孔４２，４２内のストッパー面４４，４４に面接触状態で係止されている。しかも、シリンダー錠１０Ａは、周方向に回転することができないようにシリンダー錠用係止操作杆３２の係止部３６により阻止されている。
【００２９】
そこで、シリンダー錠１０Ａを交換しようとする場合には、まず取付け対象板２３を開く。取付け対象板を開くと、キースイッチ装置Ｘ１のスイッチ取付け板１Ａの後壁１ｂが見えるので、係止操作杆３２の後端部３３を掴み又は図示しないドライバーを利用して、例えば反時計方向に回転する。
そうすると、係止操作杆３２の先細り状係止部３６は前壁の貫通孔３０内まで後退する。その結果、係合孔４２内に障害物が存在しなくなり、シリンダー錠１０Ａを係合解消方向へと回転させることができる。
【００３０】
そこで、そのままシリンダー錠１０Ａに固定された化粧体２２Ａを介して該シリンダー錠１０Ａを所定の位置まで周方向に回転させる。
【００３１】
そうすると、シリンダー錠１０Ａの係合突起４３，４３は嵌合支持部材４０のストッパー面４４，４４から外れるので、その位置で引抜く。シリンダー錠１０Ａを嵌合支持部材４０から引抜く時、シリンダー錠１０Ａの係合突起４３，４３は嵌合支持部材４０の案内隙間４７，４７を摺り抜ける。
【００３２】
これに対し、新しいシリンダー錠を嵌合支持部材４０に固定的に装着する場合には、前述の態様とは逆である。まずシリンダー錠１０Ａの係合突起４３，４３を嵌合支持部材４０の案内隙間４７，４７に合わせ、そのまま外筒体１５Ａを押し込む。この時所定の鍵Ｋをロータ１４Ａの鍵孔１３Ａに差し込むと、ロータ１４Ａは回転可能であるから、その点も考慮して係合片５１がスイッチ取付け板１Ａの従動体４Ａの係合溝６Ａに係合する位置まで新しいシリンダー錠を押し込む。
【００３３】
新しいシリンダー錠の係合突起４３，４３が嵌合支持部材４０の係合孔４２，４２に完全に入り込んだ所で、該新しいシリンダー錠を係合方向（周方向）へと所定量回転する。そうすると、新しいシリンダー錠の係合突起４３，４３は嵌合支持部材４０のストッパー面（部分）４４，４４に係合する。
【００３４】
そこで、スイッチ取付け板１Ａの後壁１ｂから係止操作杆３２を時計方向へと回転する。そうすると、係止操作杆３２は回りながら前壁１ａから突出するように前進し、その係止部３６が係合孔４２の隙間部分に入り込み、係合状態のシリンダー錠の回転を阻止する。これにより新しいシリンダー錠は、複雑な手順を経ることなく、嵌合支持部材４０を介してスイッチ取付け板１Ａに対して添設状態で固定される。
【００３５】
【実施例】
本発明の実施例に於いて、シリンダー錠用係止操作杆３２は、一種の操作螺杆であるが、必ずしもスイッチ取付け板１Ａの後壁に螺合させる必要はない。要は、前進時に嵌合支持部材４０の嵌合孔４１に連通する半径方向の係合孔４２内に入り込み、シリンダー錠の回転を阻止することができれば十分であるから、例えば係止操作杆３２の後端部の外周壁に係合溝を形成し、この係合溝を後壁の係合孔の縁部等に係止させても良い。
【００３６】
また本実施例の係合部としの係合突起と、この係合突起に係合する被係合部としての係合孔は、任意に設計変更かのであるから、このような部分の設計変更は、作用・機能に特段の差違がない限り、本発明の均等物である。
【００３７】
【発明の効果】
以上の説明から明らかなように、本発明にあっては、取付け対象板の内側から係止操作杆を操作するだけで、シリンダー錠をスイッチ取付け板の前壁からシリンダー錠用嵌合支持部材を介して簡単に取り外しことができ、一方、シリンダー錠の後端部をスイッチ取付け板の前壁に前記嵌合支持部材を介して添設した状態で係止操作杆を操作すると、直ちにスイッチ取付け板の前壁に対してシリンダー錠を固定的に装着することができるキースイッチ装置に於けるシリンダー錠の取付け構造を提供することができる。
【図面の簡単な説明】
図１乃至図７は本発明の一実施例を示す各概略説明図。図８及び図９は従来例を示す各説明図。
【図１】本発明の分解斜視図。
【図２】スイッチ取付け板の前壁に嵌合支持部材を固定した斜視図。
【図３】シリンダー錠を交換する場合の概略説明図。
【図４】要部（嵌合支持部材）の概略縦断面図。
【図５】要部（係止操作杆）の説明図。
【図６】シリンダー錠を係止固定する場合に於いて、正面側から見た概略説明図。
【図７】シリンダー錠の係合関係を背面側から見た要部の概略説明図。
【図８】従来例の一例を示す分解斜視図。
【図９】従来例の主要部を示す説明図（シリンダー錠をスイッチ取付け板から外した斜視図）。
【符号の説明】
Ｘ１…キースイッチ装置、Ｋ…鍵、１Ａ…スイッチ取付け板、１ａ…前壁、１ｂ…後壁、２Ａ…キースイッチ、３Ａ…リード線、４Ａ…従動部材、５Ａ…凹所、６Ａ…係合溝、７Ａ…メネジ部、８Ａ…固着具、１０Ａ…シリンダー錠、１２Ａ…取付け基板、１３Ａ…鍵孔、１４Ａ…ロータ、１５Ａ…外筒体、１６Ａ…オネジ部、１７Ａ…貫通小孔、１８Ａ…調整ナット、２２Ａ…化粧体、２３…取付け対象板、３０…貫通孔、３１…メネジ、３２…係止操作杆、３３…オネジ、３４…プラス溝、３５…フランジ部、３６…係止部、３７…無ネジ部、４０…嵌合支持部材、４１…嵌合孔、４２…係合孔、４３…係合突起、４３ａ…係合突起の内面、４４…ストッパー部分、４６…円弧状支持部、４７…案内間隙、４８…内部空間、５０…内周突壁、５１…係合片。
【図１】
2004071205.tif 000003
【図２】
2004071205.tif 000004
【図３】
2004071205.tif 000005
【図４】
2004071205.tif 000006
【図５】
2004071205.tif 000007
【図６】
2004071205.tif 000008
【図７】
2004071205.tif 000009
【図８】
2004071205.tif 000010
【図９】
2004071205.tif 000011